(57)【要約】【課題】内容物や製造者の表示が行えることは当然として、ストレッチフィルム表面に簡単に貼付することができて、このストレッチフィルムの剥がしをも簡単に行えるようにすることのできるラベルを、簡単な構成によって提供すること。【解決手段】包装用容器２０の表面を覆うストレッチフィルム２１上に貼付されて、このストレッチフィルム２１を剥がすのにも使用されるラベル１０であって、接着剤によってストレッチフィルム２１上に貼付されることになる一対の基部１１と、これら各基部１１からそれぞれ立ち上がって摘みを形成することになる立ち上がり部１２とを備えたこと。【選択図】図１
2004051180.tif 000002
【特許請求の範囲】
【請求項１】
包装用容器の表面を覆うストレッチフィルム上に貼付されて、このストレッチフィルムを剥がすのにも使用されるラベルであって、
接着剤によって前記ストレッチフィルム上に貼付されることになる一対の基部と、これら各基部からそれぞれ立ち上がって摘みを形成することになる立ち上がり部とを備えたことを特徴とするストレッチフィルム用のラベル。
【請求項２】
前記各立ち上がり部は、その少なくとも一部に塗布した接着剤によって互いに拝み接着したことを特徴とする請求項１に記載のストレッチフィルム用のラベル。
【請求項３】
前記各基部の裏面全体に、接着剤を形成したことを特徴とする請求項１または請求項２に記載のストレッチフィルム用のラベル。
【発明の詳細な説明】
【０００１】
【発明の属する技術分野】
本発明は、ストレッチフィルム用のラベルに関し、特に、このストレッチフィルム上に貼付されてこれの剥がしをも行えるようにしたラベルに関するものである。
【０００２】
【従来の技術】
近年、コンビニエンスストア等で大量に販売されつつあるお弁当は、合成樹脂製の包装用容器に入れられたものが殆どであり、中身や液汁が漏れ出ないようにする工夫を施さなければならない。この工夫は、包装用容器自体についてなされることもあるが、一般的には、図１に示すように、当該包装用容器全体をストレッチフィルムによって覆ってしまうことが最も簡便であり、よく採用されていることである。
【０００３】
ところが、このストレッチフィルムは、包装用容器全体を包み込んでいるために、これを容器から外すことが非常に困難であり、場合によってはこのストレッチフィルムを大きな力を入れて剥がした途端、肝心の弁当の中身を零してしまうということも十分あり得るのである。
【０００４】
このようなストレッチフィルムやシュリンクフィルムを剥がす従来の手段として、端を摘み易いようにしたシールがある。このシールは、これをフィルムの合わせ目等に貼付しておき、その摘み部によってフィルムの一部を破り、この破れた部分をきっかけとしてフィルムの剥がしを行うようにしたものである。
【０００５】
この従来のシールは、一般的に小さく形成されていて、しかもフィルム上に突出する部分がないから、どこを摘んだらよいか不明となる場合が多いものである。また、この従来のシールは、十分に強くないため、フィルムを剥がす前にその摘み部が破れて取れてしまうこともあった。特に、ストレッチフィルムは、エラストマーとポリエチレンとからなるものであって、熱を掛けて合わせ部分の接着を行うものであり、このストレッチフィルム自体はシュリンクフィルムに比して強靱である。このため、このストレッチフィルムの剥がしのために、従来のシュリンクフィルム用の剥がしシールを利用することは問題があるのである。
【０００６】
また、この従来のシュリンクフィルム用の剥がしシールは、その摘みを上に引いたり横に引っ張ったりする力によって、シュリンクフィルムを破るものであるが、シュリンクフィルムが延びるため、長い距離を引っ張らないと破れなかったり、シールのみがシュリンクフィルムから剥がれてしまう、という問題もあったのである。
【０００７】
そこで、本発明者等は、シュリンクフィルムを剥がすのに使用されていた従来のシールの欠点を解決して、比較的強靱なストレッチフィルムの剥がし操作に対しても使用でき、しかも内容物や製造者の表示をも行えるようにするにはどうしたらよいか、について種々検討を重ねてきた結果、本発明を完成したのである。
【０００８】
【発明が解決しようとする課題】
本発明は、以上のような実状に鑑みてなされたもので、その解決しようとする課題は、内容物や製造者の表示が行えることは当然として、ストレッチフィルム表面に簡単に貼付することができて、このストレッチフィルムの剥がしをも簡単に行えるようにすることのできるラベルを、簡単な構成によって提供することにある。
【０００９】
【課題を解決するための手段】
以上の課題を解決するために、まず、請求項１に係る発明の採った手段は、後述する実施の形態の説明中において使用する符号を付して説明すると、
「包装用容器２０の表面を覆うストレッチフィルム２１上に貼付されて、このストレッチフィルム２１を剥がすのにも使用されるラベル１０であって、
接着剤１３によってストレッチフィルム２１上に貼付されることになる一対の基部１１と、これら各基部１１からそれぞれ立ち上がって摘みを形成することになる立ち上がり部１２とを備えたことを特徴とするストレッチフィルム２１用のラベル１０」
である。
【００１０】
すなわち、このラベル１０は、接着剤１３によってストレッチフィルム２１上に貼付されることになる一対の基部１１と、これら各基部１１からそれぞれ立ち上がって摘みを形成することになる立ち上がり部１２とを備えたものであり、図１に示すように、包装用容器２０を包み込んでいるストレッチフィルム２１上に貼付されたとき、各立ち上がり部１２が文字通り立ち上がって人の手指で簡単に摘める摘みを形成するものである。
【００１１】
勿論、各基部１１や立ち上がり部１２には、包装用容器２０の内容物を製造した者の記載や、食味期間や内容物の表示がなされるものであり、これらを表示する従来のラベルと同様に、ストレッチフィルム２１上に貼付されて十分な表示が行えるものである。
【００１２】
各基部１１は、その裏面に塗布してあった接着剤１３によってストレッチフィルム２１上にしっかりと貼付されるのである。また、各立ち上がり部１２は、図２〜図４に示すように、基部１１から、従ってストレッチフィルム２１から立ち上がったものとなっているから、これを手指で摘んで引っ張っても簡単には千切れないものとなっている。
【００１３】
このため、各立ち上がり部１２からなる摘みを引き上げれば、接着剤１３によってストレッチフィルム２１上に貼付されている基部１１にも力が加わり、これが接着剤１３を介してストレッチフィルム２１の剥がしを行うことになるのである。この操作によって、ストレッチフィルム２１が一部でも破れれば、それをキッカケとしてストレッチフィルム２１全体の包装用容器２０からの剥がしあるいは外しを行えばよいのである。
【００１４】
従って、この請求項１のラベル１０は、内容物や製造者の表示が行えることは当然として、ストレッチフィルム２１表面に簡単に貼付することができて、このストレッチフィルム２１の剥がしをも簡単に行えるものとなっているのである。
【００１５】
また、上記課題を解決するために、請求項２に係る発明の採った手段は、上記請求項１に記載のストレッチフィルム２１用のラベル１０について、
「各立ち上がり部１２は、その少なくとも一部に塗布した接着剤１３によって互いに拝み接着したこと」
である。
【００１６】
すなわち、このラベル１０では、各立ち上がり部１２がその少なくとも一部の接着剤１３によって拝み接着、つまり互いに貼り合わるようにしたものであり、各立ち上がり部１２によってストレッチフィルム２１上に立ち上がった摘みは、濡達の立ち上がり部１２が一体化した強靱なものとなっているのである。
【００１７】
従って、この請求項２のラベル１０は、上記請求項１のそれと同様な機能を発揮することは当然として、その摘みが強靱なものとなっていて、ストレッチフィルム２１の剥がしをより一層確実に行えるものとなっているのである。
【００１８】
さらに、上記課題を解決するために、請求項３に係る発明の採った手段は、上記請求項１または請求項２に記載のストレッチフィルム２１用のラベル１０について、
「各基部１１の裏面全体に、接着剤１３を形成したこと」
である。
【００１９】
すなわち、この請求項３のラベル１０は、図２等に示すように、各基部１１の裏面全体に接着剤１３を形成したものであり、各基部１１の裏面全体がストレッチフィルム２１に完全に接着されるようにしたものである。このようにすることによって、摘みとなった各立ち上がり部１２を引っ張ったとき、その力が各基部１１の端に集中し、この集中応力によってストレッチフィルム２１が破れ易くなるのである。
【００２０】
なお、以下に示す実施形態のラベル１０では、図１及び図５にも示すように、基部１１の、少なくとも一個所の端部１１ａの角度を９０度以下として尖らせたものであり、この端部１１ａによっても、立ち上がり部１２からなる摘みを引き上げた時の力をこの端部１１ａに集中させて、ストレッチフィルム２１の破りをこの端部１１ａによって行い易くし、ストレッチフィルム２１の剥がしをより一層容易にしているのである。
【００２１】
従って、この請求項３のラベル１０は、上記請求項１または請求項２のそれと同様な機能を発揮することは当然として、ストレッチフィルム２１の破りを行い易くし、ストレッチフィルム２１の剥がしをより一層容易にしているのである。
【００２２】
【発明の実施の形態】
次に、上記のように構成した各請求項に係る発明を、図面に示した実施の形態であるラベル１０について説明すると、図１には、本発明に係るラベル１０を使用して、包装用容器２０を覆っているストレッチフィルム２１の剥がしを行おうとしている状態が示してある。
【００２３】
ラベル１０は、図１に示したように、裏面に塗布した接着剤１３によってストレッチフィルム２１上に貼付されることになる一対の基部１１と、これら各基部１１からそれぞれ立ち上がって摘みを形成することになる立ち上がり部１２とを備えたものである。本実施形態では、摘みを引っ張ったときの強度を確保するために、ラベル１０を形成するための用紙を、所謂合成紙としている。
【００２４】
各基部１１の表面については、後述する立ち上がり部１２の表面と同様に、包装用容器２０の内容物の製造者や食味期間等の表示を、印刷等の手段によって予め行っておかれる。また、この各基部１１については、図２〜図４に示したように、その裏面全体に接着剤１３を塗布または形成するようにしている。その理由は、摘みとなった各立ち上がり部１２を引っ張ったとき、その力が各基部１１の端に集中するようにするためであり、この集中応力によってストレッチフィルム２１が延びることなく引き裂かれ易くなるようにするためである。
【００２５】
なお、本実施形態の各基部１１については、図１にも示したように、その少なくとも一個所の端部１１ａの角度を９０度以下として尖らせることがなされる。このように端部１１ａを尖らせておけば、立ち上がり部１２からなる摘みを引き上げた時の力をこの端部１１ａに集中させて、ストレッチフィルム２１の破りをこの端部１１ａによっても行い易くし、ストレッチフィルム２１の剥がしをより一層容易にすることができるからである。
【００２６】
各立ち上がり部１２は、図１及び図２に示した例では、図５にも示したように、図示上端の連続部１２ａによって連続させたものであり、このように連続させておくことによって、当該ラベル１０をストレッチフィルム２１に貼付する前の状態を平面形状のままとし、図５の（ロ）に示した剥離紙１４からの剥離を簡単に行えるようにしているものである。勿論、各立ち上がり部１２は、図３にも示すように、互いに分離したものとしておいて、ストレッチフィルム２１上に貼付する前等に互いに拝み接着するようにしてもよいものである。
【００２７】
この場合には、ストレッチフィルム２１に当該ラベル１０を貼付する際に、図５の（イ）中の二点鎖線で示した折曲線１５ａによって折曲されることになる。なお、図５の（イ）中の点線で示した折曲線１５ｂによって折曲することにより、各立ち上がり部１２が基部１１から立ち上がったものとなる。
【００２８】
接着剤１３としては、アクリル系のものが採用されるが、図１〜図３、及び図５の（ロ）に示したように、各基部１１及び立ち上がり部１２の裏面全体に塗布しておいてもよいが、図４に示したように、立ち上がり部１２の一部に塗布しておくことも実施される。この図４に示した例では、各立ち上がり部１２を連続部１２ａにれ連続させたものであり、各立ち上がり部１２の下側部分にのみ塗布した接着剤１３によって、各立ち上がり部１２により輪になった摘みを形成することができるものである。このような輪になった摘みは、その存在を明確に示すことが出来て有利である。
【００２９】
図６には、本発明に係るＢの形成方法の一例が示してある。この例では、図６の（イ）に示したように、ラベル１０の２個分の長さを有するＪ上に、第１基紙１０ａを接着剤１３を介して張り合わせるのであるが、この場合重要なのは、第１基紙１０ａの中央部のＣの２個分は、接着剤１３を塗布しないことである。そして、第１基紙１０ａをその中央で切断することにより、図６の（ロ）に示したように、第１基紙１０ａは左右に起こし広げるることができる。
【００３０】
次いで、図６の（ハ）に示したように、起こし広げた第１基紙１０ａの上に、裏面全体に接着剤を塗布した別の第２基紙１０ｂを張り合わせる。この場合、第２基紙１０ｂが起こし広げた第１基紙１０ａの先端より短くしておくと、第２基紙１０ｂの裏面に形成した接着剤１３がはみ出さないので、よい結果が得られる。また、第２基紙１０ｂ裏面全体に接着剤１３を形成しておけば、後述するように、２個のラベル１０としたときに、その各基部１１の裏面全体に接着剤１３を形成することになる。
【００３１】
その後、図６の（ニ）に示したように、この第２基紙１０ｂの中央にて全体を切断すれば、２個のラベル１０が完成するのである。勿論、第１基紙１０ａの起こし広げられた部分とこれに接着されている第２基紙１０ｂの部分は、それぞれ立ち上がり部１２を構成して摘みとなるのである。
【００３２】
【発明の効果】
以上、詳述した通り、各請求項に係る発明においては、
「包装用容器２０の表面を覆うストレッチフィルム２１上に貼付されて、このストレッチフィルム２１を剥がすのにも使用されるラベル１０であって、
接着剤１３によってストレッチフィルム２１上に貼付されることになる一対の基部１１と、これら各基部１１からそれぞれ立ち上がって摘みを形成することになる立ち上がり部１２とを備えたこと」
にその主たる構成上の特徴があり、これにより、内容物や製造者の表示が行えることは当然として、ストレッチフィルム２１表面に簡単に貼付することができて、このストレッチフィルム２１の剥がしをも簡単に行えるようにすることのできるラベル１０を、簡単な構成によって提供することができるのである。
【図面の簡単な説明】
【図１】本発明に係るラベルの斜視図である。
【図２】図１に示したラベルの拡大縦断面図である。
【図３】連続部のないラベルの拡大縦断面図である。
【図４】各立ち上がり部の一部に接着剤を津付した場合のラベルの拡大縦断面図である。
【図５】同ラベルのストレッチフィルムに貼付する前の状態を示すもので、（イ）は平面図、（ロ）は断面図である。
【図６】同ラベルの製造方法の一例を、（イ）〜（ニ）の工程順に示した断面図である。
【符号の説明】
１０　　ラベル
１０ａ　第１基紙
１０ｂ　第２基紙
１１　　基部
１１ａ　端部
１２　　立ち上がり部
１２ａ　連続部
１３　　接着剤
１４　　剥離紙
１５ａ　折曲線
１５ｂ　折曲線
２０　　包装用容器
２１　　ストレッチフィルム
【図１】
2004051180.tif 000003
【図２】
2004051180.tif 000004
【図３】
2004051180.tif 000005
【図４】
2004051180.tif 000006
【図５】
2004051180.tif 000007
【図６】
2004051180.tif 000008